(57)【要約】【課題】排水性と清掃性とを両立させた浴室用床パネルを提供する。【解決手段】樹脂材料で形成された浴室用床パネルであって、前記浴室用床パネル上の水を排水するための排水口と、前記浴室用床パネルの表面に間隔を空けて島状に形成された複数の凸部と、前記複数の凸部のそれぞれの間に、前記凸部を取り囲むように設けられ、前記排水口まで連続するように設けられた導水路と、を備え、前記導水路は、交差部を形成するように２方向以上に渡って形成され、前記交差部において、前記導水路内に水が流れ込んだ時に前記交差部で水が途切れることを防止する交差部捕水手段が設けられたことを特徴とする浴室用床パネルが提供される。【選択図】図１
2009179938.tif 000002
【特許請求の範囲】
【請求項１】
樹脂材料で形成された浴室用床パネルであって、
前記浴室用床パネル上の水を排水するための排水口と、
前記浴室用床パネルの表面に間隔を空けて島状に形成された複数の凸部と、
前記複数の凸部のそれぞれの間に、前記凸部を取り囲むように設けられ、前記排水口まで連続するように設けられた導水路と、
を備え、
前記導水路は、交差部を形成するように２方向以上に渡って形成され、
前記交差部において、前記導水路内に水が流れ込んだ時に前記交差部で水が途切れることを防止する交差部捕水手段が設けられたことを特徴とする浴室用床パネル。
【請求項２】
樹脂材料で形成された浴室用床パネルであって、
前記浴室用床パネルの上の水を排水するための排水口と、
前記排水口への水の排水を補助するための排水流し溝と、
前記浴室用床パネルの表面に間隔を空けて島状に形成された複数の凸部と、
前記複数の凸部のそれぞれの間に、前記凸部を取り囲むように設けられ、前記排水流し溝まで連続するように設けられた導水路と、
を備え、
前記導水路は、交差部を形成するように２方向以上に渡って形成され、
前記交差部において、前記導水路内に水が流れ込んだ時に前記交差部で水が途切れることを防止する交差部捕水手段が設けられたことを特徴とする浴室用床パネル。
【請求項３】
樹脂製の浴室用床パネルであって、
前記浴室用床パネルの上の水を排水するための排水口と、
前記浴室用床パネルの表面に設けられた複数の凸部と、
前記複数の凸部の間に設けられ、第１の方向に延在する第１の間隙部と、第１の方向とは異なる第２の方向に延在する第２の間隙部と、前記第１の間隙部と前記第２の間隙部とが交差する交差部に設けられ前記交差部において水が途切れることを防止する交差部捕水手段と、を有し、前記排水口に連続する導水路と、
を備え、  
前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水口に途切れることなく排水されることを特徴とする浴室用床パネル。
【請求項４】
樹脂製の浴室用床パネルであって、
前記浴室用床パネルの上の水を排水するための排水口と、
前記排水口に連通し、前記排水口への水の排水を補助するための排水流し溝と、
前記浴室用床パネルの表面に設けられた複数の凸部と、
前記複数の凸部の間に設けられ、第１の方向に延在する第１の間隙部と、第１の方向とは異なる第２の方向に延在する第２の間隙部と、前記第１の間隙部と前記第２の間隙部とが交差する交差部に設けられ前記交差部において水が途切れることを防止する交差部捕水手段と、を有し、前記排水流し溝に連続する導水路と、
を備え、  
前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水流し溝に途切れることなく排水されることを特徴とする浴室用床パネル。
【請求項５】
前記交差部捕水手段は、前記導水路内の排水勾配に影響されずに水が前記交差部に滞留可能とすることを特徴とする請求項１〜４のいずれか１つに記載の浴室用床パネル。
【請求項６】
前記交差部捕水手段は、前記交差部の底面から突出した突出部を含むことを特徴とする請求項１〜４のいずれか１つに記載の浴室用床パネル。
【請求項７】
前記交差部捕水手段は、前記交差部を取り囲むように形成された凸状の壁部を含むことを特徴とする請求項１〜４のいずれか１つに記載の浴室用床パネル。
【請求項８】
前記交差部捕水手段は、前記凸部の間の幅を前記交差部において局部的に狭くする、前記凸部に連続して設けられた延在凸部を含むことを特徴とする請求項１〜４のいずれか１つに記載の浴室用床パネル。
【請求項９】
前記交差部捕水手段は、前記交差部に設けられた、前記交差部以外における表面粗さより粗い表面粗さを有する高表面粗さ部を含むことを特徴とする請求項１〜４のいずれか１つに記載の浴室用床パネル。
【請求項１０】
前記交差部捕水手段は、前記交差部に設けられた、前記交差部以外における水に対する濡れ性より水に対する濡れ性が高い高濡れ性部を含むことを特徴とする請求項１〜４のいずれか１つに記載の浴室用床パネル。
【請求項１１】
前記交差部捕水手段は、前記交差部における表面自由エネルギー及び表面積の少なくともいずれかを局所的に大きくしたことを特徴とする請求項１〜４のいずれか１つに記載の浴室用床パネル。    
【発明の詳細な説明】
【技術分野】
【０００１】
本発明は、例えば、浴室、シャワー室等に使用される浴室用床パネルに関する。
【背景技術】
【０００２】
浴室やシャワー室等の洗い場に用いられる床パネルとして、床パネルの表面に凸部を設け、凸部の間に流れ込んだ水を途切れさせずに一時捕水できる状態にする流路（導水路）を排水口または排水流し溝まで連続して形成し、床パネルの上の残水を排水する技術が開示されている（特許文献１）。これによって、翌日には洗い場の上に水滴が残らなくなる。
【特許文献１】特許第３５０８７６１号公報
【発明の開示】
【発明が解決しようとする課題】
【０００３】
このような導水路が設けられた浴室用床パネルにおいて、浴室用床パネルの清掃性を高めるために、導水路の幅寸法を長くしたり、導水路の高さ（深さ）寸法を短くしたり、導水路の配置ピッチを長く設定することがある。このように、導水路を太く、低く（浅く）、長ピッチにすると、導水路の交差部で、水が途切れてしまう。交差部で水が途切れると、結果的に導水路内の水を、排水口または排水流し溝まで、途切れることなく連続的に存在させることができなくなり、このため、排水性が低下し、翌日なっても洗い場床上に水滴が残ることになってしまう。
【０００４】
このように、浴室用床パネルの清掃性と排水能力とはトレードオフの関係にある。このトレードオフを改善し、排水性と清掃性とを両立させた浴室用床パネルが望まれている。
【０００５】
本発明の目的は、排水性と清掃性とを両立させた浴室用床パネルを提供することにある。
【課題を解決するための手段】
【０００６】
本発明の一態様によれば、樹脂材料で形成された浴室用床パネルであって、前記浴室用床パネル上の水を排水するための排水口と、前記浴室用床パネルの表面に間隔を空けて島状に形成された複数の凸部と、前記複数の凸部のそれぞれの間に、前記凸部を取り囲むように設けられ、前記排水口まで連続するように設けられた導水路と、を備え、前記導水路は、交差部を形成するように２方向以上に渡って形成され、前記交差部において、前記導水路内に水が流れ込んだ時に前記交差部で水が途切れることを防止する交差部捕水手段が設けられたことを特徴とする浴室用床パネルが提供される。
【０００７】
本発明の他の一態様によれば、樹脂材料で形成された浴室用床パネルであって、前記浴室用床パネルの上の水を排水するための排水口と、前記排水口への水の排水を補助するための排水流し溝と、前記浴室用床パネルの表面に間隔を空けて島状に形成された複数の凸部と、前記複数の凸部のそれぞれの間に、前記凸部を取り囲むように設けられ、前記排水流し溝まで連続するように設けられた導水路と、を備え、前記導水路は、交差部を形成するように２方向以上に渡って形成され、前記交差部において、前記導水路内に水が流れ込んだ時に前記交差部で水が途切れることを防止する交差部捕水手段が設けられたことを特徴とする浴室用床パネルが提供される。
【０００８】
本発明の他の一態様によれば、樹脂製の浴室用床パネルであって、前記浴室用床パネルの上の水を排水するための排水口と、前記浴室用床パネルの表面に設けられた複数の凸部と、前記複数の凸部の間に設けられ、第１の方向に延在する第１の間隙部と、第１の方向とは異なる第２の方向に延在する第２の間隙部と、前記第１の間隙部と前記第２の間隙部とが交差する交差部に設けられ前記交差部において水が途切れることを防止する交差部捕水手段と、を有し、前記排水口に連続する導水路と、を備え、前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水口に途切れることなく排水されることを特徴とする浴室用床パネルが提供される。
【０００９】
本発明の他の一態様によれば、樹脂製の浴室用床パネルであって、前記浴室用床パネルの上の水を排水するための排水口と、前記排水口に連通し、前記排水口への水の排水を補助するための排水流し溝と、前記浴室用床パネルの表面に設けられた複数の凸部と、前記複数の凸部の間に設けられ、第１の方向に延在する第１の間隙部と、第１の方向とは異なる第２の方向に延在する第２の間隙部と、前記第１の間隙部と前記第２の間隙部とが交差する交差部に設けられ前記交差部において水が途切れることを防止する交差部捕水手段と、を有し、前記排水流し溝に連続する導水路と、備え、前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水流し溝に途切れることなく排水されることを特徴とする浴室用床パネルが提供される。
【発明の効果】
【００１０】
本発明によれば、排水性と清掃性とを両立させた浴室用床パネルが提供される。
【発明を実施するための最良の形態】
【００１１】
以下、図面を参照し、本発明の実施形態について説明する。  
（第１の実施の形態）
図１は、本発明の第１の実施形態に係る浴室用床パネルの要部構造を例示する模式図である。図１（ａ）は、要部構造を例示する模式的斜視図、図１（ｂ）は、図１（ａ）のＡ−Ａ線断面図、図１（ｃ）は、図１（ａ）のＢ−Ｂ線断面図である。  
図２は、本発明の第１の実施形態に係る浴室用床パネルの構造を例示する模式図である。  
なお、本願明細書と図２以降の各図において、既出の図に関して前述したものと同様の要素には同一の符号を付して詳細な説明は適宜省略する。  
図２に表したように、本発明の第１の実施形態に係る浴室用床パネル１０は、浴室４００の主に洗い場に用いられる床パネルである。浴室用床パネル１０は、例えば、ＦＲＰ（Fiber Reinforced Plastic）等の樹脂材料によって形成される。そして、浴室用床パネル１０は、浴室用床パネル１０の上の水を排水するための排水口３００と、浴室用床パネル１０の表面に間隔を空けて複数の島状に形成された凸部１１０を備えている。浴室用床パネル１０は、この凸部１１０の間に、凸部１１０を取り囲むように形成された導水路１２０をさらに備えている。この導水路１２０は、交差部１３０を複数有するように少なくとも２方向以上に渡って形成されており、排水口３００まで連続して設けられている。
【００１２】
そして、導水路１２０の交差部１３０には、交差部捕水手段２００として、前記交差部略中央の底面より突出した突出部２０１が設けられている。これにより、交差部１３０の捕水性が高まり、導水路１２０内に水が流れ込んだ時に、排水口３００まで水が途切れることなく連続的に存在させることができる。  
突出部２０１は、導水路１２０の底面を取り囲むように凸部１１０とは間隔をあけて独立して形成されている。
【００１３】
すなわち、図１（ａ）〜（ｃ）に表したように、本実施形態の浴室用床パネル１０は、表面に設けられた複数の凸部１１０と、複数の凸部１１０の間に設けられ、排水口３００に連続した導水路１２０を備えている。凸部１１０は、この例では、上平面視で矩形の形状をしているが、これには限らず、各種の多角形や、輪郭が曲線の形状など、各種の形状を有することができる。また、その配置も後述するように格子状の他、配置の位相がずれたレンガ積み状の配置、六方稠密の配置など各種の配置を有することができる。
【００１４】
そして、導水路１２０は、第１の間隙部１２１と第２の間隙部１２２を有している。第１の間隙部１２１は、この例では、Ａ−Ａ線方向に平行の第１の方向に延在している。そして、第２の間隙部１２２は、この例では、Ｂ−Ｂ線方向に平行の第２の方向に延在している。すなわち、第１の間隙部１２１と第２の間隙部１２２とは互いに実質的に直交している。ただし、本発明はこれには制限されず、第１の方向（第１の間隙部１２１）と第２の方向（第２の間隙部１２２）とは、交差すれば（非平行であれば）良い。そして、第１の間隙部１２１と第２の間隙部１２２とが交差する交差部１３０に、交差部捕水手段２００が設けられている。交差部捕水手段２００には、後述するように種々の形態を用いることができるが、図１、図２に示した浴室用床パネル１０は、交差部１３０の底面より突出した突出部２０１を用いた例である。
【００１５】
そして、この突出部２０１、すなわち、交差部捕水手段２００は、導水路１２０の排水勾配に影響されずに少量の水が交差部１３０に滞留可能としている。  
なお、交差部捕水手段２００によって、交差部１３０に水が滞留したとしても、滞留する水は少量であるため、短時間で乾燥する。
【００１６】
凸部１１０は、上平面視で、例えば、約５ｍｍ×約１０ｍｍの長方形とすることができ、高さは、例えば、約０．５ｍｍとすることができる。また、導水路１２０、すなわち、第１の間隙部１２１及び第２の間隙部１２２の幅は、例えば２ｍｍ、深さは、例えば０．５ｍｍとすることができる。但し、本発明はこれには制限されない。
【００１７】
そして、突出部２０１の高さは、凸部１１０の高さと実質的に同等以下とすることができる。  
また、図１に示した例では、突出部２０１は、上平面視で、略円形であり、その径は、例えば、０．２〜２ｍｍとすることができる。ただし、後述するように、本発明はこれには制限されない。
【００１８】
図３は、本発明の第１の実施形態に係る浴室用床パネルの製造に用いられる成形型の要部の構造を例示する模式的斜視図である。  
図３に表したように、本実施形態に係る浴室用床パネル１０の製造に用いられる成形型１０ａは、凸部１１０に対応する型凹部分１１０ａと、第１の間隙部１２１に対応する型凸部分１２１ａと、第２の間隙部１２２に対応する型凸部分１２２ａを有している。そして、交差部１３０に対応する型交差部分１３０ａには、突出部２０１に対応する型凹部２０１ａが設けられている。このような形状の成形型１０ａを用いて樹脂を成形することにより、本実施形態に係る浴室用床パネル１０を得ることができる。
【００１９】
なお、導水路１２０は、凸部１１０の間に凸部１１０に接して設けられるが、実質的には凸部１１０を形成することによって、凸部１１０の間に複数の間隙部（第１の間隙部１２１、第２の間隙部１２２）が設けられ、これにより、導水路１２０の主要部分が構成される。すなわち、導水路１２０は、凸部１１０を設けることによって自動的に設けることができるため、凸部１１０とは別に設ける必要はない。ただし、凸部１１０の間に、凸部１１０を取り囲むように形成されれば、凸部１１０を形成する工程とは別の工程によって、導水路１２０を設けても良い。
【００２０】
以上説明した構成を有する浴室用床パネル１０の作用について説明する。  
図４は、本発明の第１の実施形態に係る浴室用床パネルの排水状態を例示する模式的斜視図である。  
図４（ａ）は最初の状態であり、図４（ｂ）は、図４（ａ）に続く図、以降、図４（ｃ）〜図４（ｆ）は、それぞれ前の図に続く図である。  
図４（ａ）に表したように、浴室を普通に使用すると、浴室用床パネル１０の表面は濡れる。この時、浴室用床パネル１０の表面に、二次元の網目状の溝（導水路１２０）を設けておくと、溝（導水路１２０）は、浴室用床パネル１０の表面にある水１６０の一部を、溝（導水路１２０）の中に一時的に捕水する。すなわち、導水路１２０の第１の間隙部１２１及び第２の間隙部１２２の壁面における水の表面張力によって、導水路１２０内に水１６０が捕水され、浴室用床パネル１０の表面には、排水口３００まで連続した網目状（二次元状）の水路が形成される。
【００２１】
そして、図４（ｂ）に表したように、この状態で浴室を使用すると、浴室用床パネル１０の表面の大部分の水は、浴室用床パネル１０に設けられた通常の排水勾配３１０によって、導水路１２０及び浴室用床パネル１０の表面全体を流れ、排水される。この時、浴室用床パネル１０の表面上に、水玉１５０が形成され、この水玉１５０が一時的に浴室用床パネル１０の表面に留まってしまうものも発生する。
【００２２】
しかし、図４（ｃ）に表したように、この水玉１５０は独立することはなく、導水路１２０に捕水された水１６０とこの水玉１５０は接触しているため、これら各々の水が持つ表面張力によって、水玉１５０は、徐々に導水路１２０に引き込まれる。そして導水路１２０を経て、排水される。
【００２３】
図４（ｄ）に表したように、しばらくすると、水玉１５０は、全て導水路１２０に導水され、水玉は消滅する。  
そして、図４（ｅ）に表したように、水玉１５０を導水路１２０内に引き込むことで、導水路１２０中の水１６０の量は一時的に増えるが、導水路１２０の水１６０は、ゆっくりと途切れることなく排水されているため、時間の経過と共に、導水路１２０中の水１６０の量は減少する。  
そして、図４（ｆ）に表したように、しばらくすると、導水路１２０中の水１６０も殆どが排水される。この時、万一、導水路１２０の中に水１６０が残ってしまった場合、この水１６０は、量が少なく、浴室用床パネル１０の表面の広範囲に渡って散らばっているため、自然乾燥し易く、このため、結果として、浴室用床パネル１０の表面は、短時間で完全に乾燥することができる。例えば、平均的な浴室環境である温度１５．３℃、湿度６６％の環境下において、８時間程度の間に自然乾燥が可能となる。
【００２４】
このように、表面に溝（導水路１２０）を設けることで排水する方式の浴室用床パネルにおいては、その溝（導水路１２０）の形状・寸法・配置・表面シボなどによって、濡れ性と流下抵抗を大きく発現させ、それによって、導水路１２０中に水１６０を繋がった状態で途切れなく捕まえて、効率的な排水を行っている。  
この時、排水性能を安定させるためには、導水路１２０を、より細く、より深く、または、より細かいピッチで設け、導水路１２０中の水１６０を途切れない状態で捕水する必要がある。
【００２５】
このような浴室用床パネルにおいて、清掃性を向上させたい場合、導水路１２０となる溝を、より太く、より浅く、より疎に設けることがある。しかし、この場合、導水路１２０の捕水力が低下し、排水性能が低下してしまう。そして、浴室用床パネルの表面が汚れたり、傷付いたりすることによって、表面の状態が、初期の状態から異なった時にさらに顕著に排水性能が低下する傾向があり、すなわち、浴室用床パネルの表面の汚れや傷は、排水性に係わる耐久性を劣化させる。このように、清掃性と排水性（乾燥性）とはトレードオフの関係となる。
【００２６】
清掃性を向上させるために、導水路１２０となる溝を、より太く、より浅く、より疎に設けると、導水路１２０の捕水力が全体的に低下していくが、その際、捕水力が弱い部分は、縦横の溝が交わる交差部１３０であり、この部分で最初に水が途切れ易くなる。  
すなわち、床パネルの表面上に刻まれた溝（導水路１２０）の中に存在する水１６０は、溝の側面・底面にへばりつきながら流れ、それらの部分にへばりつく合力が床パネルの材質が本来持つ撥水力に打ち勝った場合、そこに途切れずに存在できる。横溝（第１の間隙部１２１）の部分や、縦溝（第２の間隙部１２２）の部分では、溝の側壁部分がその両脇に存在するが、横溝と縦溝とが交差する交差部１３０では、ミクロ的に見ると溝の側壁が一瞬無くなる部分であり、側壁部分に依存していた水の付着力の減少によって、素材そのものの撥水力が勝ち易くなり、他の部分に比べ導水路１２０中の水が途切れる現象が発生し易い。  
交差部１３０で水が途切れると、交差部１３０を基点にして切れ始めた水は、縦横の溝の中に溜め込んでいる水にも影響を与え、溝中の水を広範囲に欠損させてしまう。導水路１２０中の水が、一連して繋がらずに、欠損してしまう部分が多くなると、排水効果が得られなくなる。
【００２７】
すなわち、導水路１２０の第１の間隙部１２１と第２の間隙部１２２とが交差する交差部１３０においては、上平面視での単位面積当たりの表面積が、導水路１２０の他の部分に比べて、小さい。すなわち、交差部１３０の近傍の、第１の間隙部１２１と第２の間隙部１２２においては、例えば、隣接する複数の凸部１１０に接した少なくとも２つの壁面により導水路１２０は囲まれるが、交差部１３０においては、例えば、図１（ａ）に表すように、囲まれる壁面を局部的に有さない。このため、交差部１３０に交差部捕水手段２００を設けない場合は、単位面積当たりの表面積が、交差部１３０以外の部分に比べ明らかに小さい。  
なお、本願明細書においては、単位面積とは、微視的な凹凸の表面を考慮に入れた表面積を指すのではなく、浴室用床パネルを上平面視した時の、凸部１１０の大きさと同程度の桁の大きさの単位面積を指す。
【００２８】
すなわち、交差部捕水手段２００を設けない場合は、交差部１３０では、交差部１３０を囲む壁面が局部的になく、交差部１３０における単位面積当たりの表面積が小さいため、結果として、交差部１３０において、単位面積当たりの自由エネルギーが小さい。ここで言う、自由エネルギーとは、表面を形成する材料固有の物理化学的な表面自由エネルギーと、上記の単位面積における表面の凹凸を含めた表面積と、の積である。すなわち、この例では、表面自由エネルギーは、交差部１３０と交差部１３０以外の部分で同じであるが、上記の単位面積当たりの凹凸を含めた表面積が、交差部１３０では小さく、結果として交差部１３０の単位面積当たりの自由エネルギーが他の部分に比べて小さくなる。
【００２９】
浴室用床パネル１０は、例えばＦＲＰ等の樹脂により形成され、その表面は撥水性となっており、その表面自由エネルギーは、一般的に水の表面自由エネルギーより小さい。そして、単位面積当たりの表面積が小さい、すなわち、単位面積当たりの自由エネルギーが小さい交差部１３０で、水は最初に弾かれ、このため、導水路１２０中の水１６０は交差部１３０において途切れ易くなる。
【００３０】
本実施形態に係る浴室用床パネル１０においては、交差部１３０に交差部捕水手段２００を設けることで、交差部１３０で水が途切れることを防止できる。  
すなわち、交差部捕水手段２００は、交差部１３０において、局部的に表面自由エネルギーを他の部分に比べて大きくする、及び、単位面積当たりの表面積を局部的に大きくする、の少なくともいずれかにより、単位面積当たりの自由エネルギーを大きくする。これにより、交差部１３０において水を弾き難くなり、結果として、交差部１３０で水が途切れることを防止できる。本実施形態に係る浴室用床パネル１０では、この交差部捕水手段２００として、突出部２０１を用い、単位面積当たりの表面積を局部的に大きくした例である。
【００３１】
すなわち、突出部２０１により、交差部１３０の水が流れる流路を狭めることができ、交差部１３０における水のへばりつく力を大きくできる。これによって、交差部１３０で水が途切れにくくできる。
【００３２】
このように、捕水性が最も弱い交差部１３０の捕水性を補強することによって、清掃性を悪化させる要因となる、狭い溝幅、深い溝や、細かい溝配置等の手段を採用しなくても、排水性（乾燥性）や耐久性を確保でき、性能・安定性と清掃性を両立させる浴室用床パネルを提供できる。
【００３３】
このようにして、浴室用床パネル１０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル１０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル１０によって、排水性と清掃性とを両立させた浴室用床パネルを提供することができる。
【００３４】
なお、本実施形態に係る浴室用床パネル１０は、浴槽４１０とシャワー４２０が備えられた浴室４００の洗い場床４３０に用いられる例を示したが、例えば、シャワー４２０は無くても良い。また、浴槽４１０を有しない、いわゆるシャワー４２０のみを備えたシャワー室の床パネルとしても用いることができる。すなわち、本願明細書において、「浴室」とは、浴槽を備えた浴室のみならず、シャワーのみを備えたがシャワー室も含める。  
さらに、本実施形態に係る浴室用床パネル１０は、浴室の洗い場だけではなく、浴槽４１０の底部の床パネルとして使用することもできる。この場合も、排水性と清掃性を両立することができる。
【００３５】
なお、本実施形態において交差部捕水手段２００となる突出部２０１は、種々の大きさ、数、形状を有することができる。これについて、以下、説明する。  
図５は、本発明の第１の実施形態に係る浴室用床パネルの要部構造を例示する模式的部分平面図である。  
図５（ａ）は、図１に例示した浴室用床パネル１０の平面図である。既に説明したように、導水路１２０の交差部１３０、すなわち、第１の間隙部１２１と第２の間隙部とが交差する交差部１３０に、交差部捕水手段２００となる突出部２０１（網点部で示す）が設けられている。そして、突出部２０１の直径は、第１の間隙部１２１と第２の間隙部１２２の幅より小さい例である。  
図５（ｂ）〜（ｆ）は、第１の実施形態に係る別の浴室用床パネル１１、１２、１３、１４、１５の平面図である。  
図５（ｂ）に表したように、本実施形態に係る別の浴室用床パネル１１においては、突出部２０１の大きさは、図５（ａ）に例示した浴室用床パネル１０の場合よりも大きく、第１の間隙部１２１と第２の間隙部１２２の幅とほぼ同じ直径を有している。このように、突出部２０１の大きさは任意である。
【００３６】
また、図５（ｃ）に表したように、本実施形態に係る別の浴室用床パネル１２においては、突出部２０１は、１つの交差部１３０につき、複数設けられている。この場合は、突出部２０１は、５つの突出部からなっている。このように、突出部２０１の数は任意である。
【００３７】
さらに、図５（ｄ）に表したように、本実施形態に係る別の浴室用床パネル１３においては、突出部２０１として、交差部１３０の形状に沿った、略十字形状の突出部２０１が設けられている。
【００３８】
また、図５（ｅ）に表したように、本実施形態に係る別の浴室用床パネル１４では、凸部１１０は、配置のピッチが約１／２ずれたレンガ積みの配列を有している。そして、この場合、突出部２０１は、交差部１３０の形状に合わせた略Ｔ字形状を有している。このように、突出部２０１の形状は、円形だけでなく各種の形状を有することができる。
【００３９】
また、図５（ｆ）に表したように、本実施形態に係る別の浴室用床パネル１５では、突出部２０１は、４つの細長い突出部からなり、この４つの細長い突出部は、それぞれ、第１の間隙部１２１または第２の間隙部１２２にまで延在している。  
なお、突出部２０１が形成された状態の交差部１３０の底面は、底面のそれぞれが繋がった状態であり、突出部２０１によって、水が途切れ易くなるものではない。
【００４０】
ここで、本図に例示したように、凸部１１０の上平面視での外形が実質的に直線部を有し、そして、第１の間隙部１２１の幅が実質的に一定となる部分を有し、及び、第２の間隙部１２２の幅が実質的に一定となる部分を有する場合、これら間隙部の幅が一定となる部分を除く部分を交差部１３０と定義することができる。すなわち、本図における点線部を交差部１３０と定義することができる。  
このように交差部１３０を定義した場合、図５（ａ）〜（ｅ）に例示した浴室用床パネル１０〜１４においては、突出部２０１は、交差部１３０の内部に設けられている。一方、図５（ｆ）に例示した浴室用床パネル１５においては、突出部２０１は、交差部１３０を超えて設けられている。すなわち、本実施形態において、突出部２０１は、交差部１３０の内部の底面に設けるだけではなく、交差部１３０の領域を超えて設けることができる。
【００４１】
以下、上に説明した第１の実施形態に係る浴室用床パネルの変形例を説明する。  
図６は、本発明の第１の実施形態に係る別の浴室用床パネルの要部構造を例示する模式図である。図６（ａ）は、要部構造を例示する模式的斜視図、図６（ｂ）は、図６（ａ）のＡ−Ａ線断面図、図６（ｃ）は、図６（ａ）のＢ−Ｂ線断面図である。  
図６に表したように、本発明の第１の実施形態に係る別の浴室用床パネル１６は、既に説明した浴室用床パネル１０に対して、凸部１１０の表面形状が異なり、他の部分に関しては、浴室用床パネル１０と同様とすることができるので、凸部１１０の表面形状についてのみ説明し、他の部分についての説明は省略する。  
図６に表したように、浴室用床パネル１６は、凸部１１０の表面に浅い凹凸１１１を有している。この凹凸１１１は、各凸部１１０の上面に独立して設けられ、凹凸１１１の高さ（深さ）が低いので、導水路１２０とは異なり、排水口３００まで水を導水する機能はないが、浴室用床パネル１６の表面の滑り止めの機能があり、また、適度な柔らかさの質感を持たせることができ、さらには、意匠性を高めることができる。
【００４２】
このように、凸部１１０の表面（上面）に凹凸１１１を設けた場合も、交差部１３０の交差部捕水手段２００である突出部２０１によって、導水路１２０の側壁面喪失によって低下した導水路１２０への水の付着力を補うことができ、交差部１３０を基点にして導水路１２０中の水が途切れる現象を防止し、導水路１２０内に水が繋がった状態で、水を溜め込むことができる。  
これにより、本発明の実施形態に係る浴室用床パネル１６によって、排水性と清掃性とを両立させた浴室用床パネルを提供することができる。
【００４３】
図７は、本発明の第１の実施形態に係る別の浴室用床パネルの要部構造を例示する模式図である。図７（ａ）、（ｂ）は、要部構造を例示する、それぞれ、模式的斜視図及び平面図である。  
図７に表したように、本発明の第１の実施形態に係る別の浴室用床パネル１７は、既に説明した浴室用床パネル１０に対して、凸部１１０の形状が異なり、他の部分に関しては、浴室用床パネル１０と同様である。  
図７（ｂ）に表したように、浴室用床パネル１７において、凸部１１０は、上平面視で、長辺と短辺がほぼ２：１の長さを有する長方形の形状を有しており、長方形２つが並列してほぼ正方形となっている。そして、２つ並列した長方形の配置の向きが、２つの長方形の組ごとに、縦と横に、互い違いに配置されている。  
このような配置の凸部１１０の場合も、凸部１１０の間に導水路１２０が形成され、導水路１２０は、第１の間隙部１２１と第２の間隙部１２２を有し、第１の間隙部１２１と第２の間隙部１２２とが交差する交差部１３０に、交差部捕水手段２００として、突出部２０１が設けられている。この場合も、突出部２０１は、図５に例示したように、各種の大きさ、数、形状を有することができる。  
これにより、本発明の実施形態に係る浴室用床パネル１７によって、排水性と清掃性とを両立させた浴室用床パネルを提供することができる。
【００４４】
図８は、本発明の第１の実施形態に係る別の浴室用床パネルの要部構造を例示する模式図である。図８（ａ）は、要部構造を例示する模式的斜視図、図８（ｂ）は、図８（ａ）のＡ−Ａ線断面図、図８（ｃ）は、図８（ａ）のＢ−Ｂ線断面図である。  
図８に表したように、本発明の第１の実施形態に係る別の浴室用床パネル１８は、既に説明した浴室用床パネル１０に対して、凸部１１０の配置形態が異なり、他の部分に関しては、浴室用床パネル１０と同様である。  
図８に表したように、浴室用床パネル１８において、凸部１１０は、上平面視で実質的に正方形をしており、その配置は、隣接する列に対して、配列の位相が略１／２ピッチずれた、レンガ積み状の配置を有している。このような配置の凸部１１０の場合も、凸部１１０の間に導水路１２０が形成され、導水路１２０は、第１の間隙部１２１と第２の間隙部１２２を有し、第１の間隙部１２１と第２の間隙部１２２とが交差する交差部１３０に、交差部捕水手段２００として、突出部２０１が設けられている。この場合も、突出部２０１は、図５に例示したように、各種の大きさ、数、形状を有することができる。  
これにより、本発明の実施形態に係る浴室用床パネル１８によって、排水性と清掃性とを両立させた浴室用床パネルを提供することができる。
【００４５】
図９は、本発明の第１の実施形態に係る別の浴室用床パネルの要部構造を例示する模式図である。図９（ａ）は、要部構造を例示する模式的斜視図、図９（ｂ）は、図９（ａ）のＡ−Ａ線断面図、図９（ｃ）は、図９（ａ）のＢ−Ｂ線断面図である。  
図９に表したように、本発明の実施形態に係る別の浴室用床パネル１９は、既に説明した浴室用床パネル１０に対して、凸部１１０の形状が異なり、他の部分に関しては、浴室用床パネル１０と同様である。  
図９に表したように、浴室用床パネル１９において、凸部１１０は、上平面視で実質的に正六角形を有しており、その配置は、実質的に六方稠密配列である。  
このような形状の場合、凸部１１０の間に導水路１２０が形成され、導水路１２０は、第１の間隙部１２１と、第２の間隙部１２２と、第３の間隙部１２３を有している。そして、この場合、交差部１３０は、第１の間隙部１２１と、第２の間隙部１２２と、第３の間隙部１２３と、が交差する部分となる。すなわち、交差部１３０は、３つ以上の間隙部が交差して形成される場合があり、この場合も、交差部１３０に交差部捕水手段２００として、突出部２０１が設けられている。  
この場合も、突出部２０１は、図５に例示したように、各種の大きさ、数、形状を有することができる。  
これにより、本発明の実施形態に係る浴室用床パネル１９によって、排水性と清掃性とを両立させた浴室用床パネルを提供することができる。
【００４６】
（第２の実施の形態）
上記説明した浴室用床パネル１０〜１５では、交差部捕水手段２００として、交差部１３０の底面１３２より突出した突出部２０１を設けた例であるが、以下に説明する第２の実施形態では、交差部捕水手段２００として、突出部２０１に代えて、交差部１３０に設けられた段差部２０２を用いた例である。
【００４７】
図１０は、本発明の第２の実施形態に係る浴室用床パネルの要部構造を例示する模式図である。図１０（ａ）は、要部構造を例示する模式的斜視図、図１０（ｂ）は、図１０（ａ）のＡ−Ａ線断面図、図１０（ｃ）は、図１０（ａ）のＢ−Ｂ線断面図である。  
図１０に表したように、本発明の第２の実施形態に係る浴室用床パネル２０においては、交差部捕水手段２００として、突出部２０１に代えて、段差部２０２が設けられている。段差部２０２は、導水路１２０の底面及び壁面のいずれかに対して凹部または凸部を形成する。本図に示した例では、段差部２０２は、導水路１２０の底面に凹部を設けている。そして、浴室用床パネル２０は、上記の段差部２０２以外は、浴室用床パネル１０と同様とすることができる。  
このように、本実施形態に係る浴室用床パネル２０では、交差部捕水手段２００として、交差部１３０に段差部２０２を設けることにより、単位面積当たりの表面積を局部的に大きくできる。これにより、段差部２０２（交差部捕水手段２００）は、交差部１３０において、単位面積当たりの自由エネルギーを局部的に大きくできる。これにより、交差部１３０において水を弾き難くなり、結果として、交差部１３０で水が途切れることを防止できる。
【００４８】
このようにして、浴室用床パネル２０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル２０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル２０によって、排水性と清掃性とを両立させた浴室用床パネルを提供することができる。
【００４９】
なお、このように、交差部捕水手段２００として、段差部２０２を設ける場合、段差部２０２の高低差ｈは、例えば、１ｍｍ以下とすることができる。すなわち、段差部２０２の底面と、導水路１２０内における段差部２０２と隣接する底面１３２との高低差は１ｍｍ以下、望ましくは、０．５ｍｍ以下とすることができる。また、段差部２０２は、上平面視で、例えば、略円形とすることができ、その場合の直径は、例えば、０．２〜２ｍｍとすることができる。ただし、後述するように、本発明はこれには制限されない。
【００５０】
すなわち、以上説明した浴室用床パネル２０における段差部２０２も、以下のように、各種の変形が可能である。  
図１１は、本発明の第２の実施形態に係る浴室用床パネルの要部構造を例示する模式的部分平面図である。  
図１１（ａ）は、図１０に例示した浴室用床パネル２０の平面図である。交差部捕水手段２００となる段差部２０２（網点で示す）が円形であり、その直径が、第１の間隙部１２１と第２の間隙部１２２の幅より小さい例である。  
図１１（ｂ）〜（ｆ）は、第２の実施形態に係る別の浴室用床パネル２１、２２、２３、２４、２５の平面図である。  
図１１（ｂ）、（ｃ）に表したように、本実施形態に係る別の浴室用床パネル２１、２２においては、段差部２０２は円形であり、その直径は、第１の間隙部１２１と第２の間隙部１２２の幅とほぼ同じ、または、それより大きくできる。このように、段差部２０２の大きさは任意である。  
また、図１１（ｄ）に表したように、本実施形態に係る別の浴室用床パネル２３においては、段差部２０２は、１つの交差部１３０につき、複数設けられている。このように、段差部２０２の数は任意である。
【００５１】
さらに、図１１（ｅ）に表したように、本実施形態に係る別の浴室用床パネル２４においては、段差部２０２として、交差部１３０の形状に沿った、略十字形状の段差部２０２が設けられている。
【００５２】
また、図１１（ｆ）に表したように、本実施形態に係る別の浴室用床パネル２５では、凸部１１０は、配置のピッチが約１／２ずれたレンガ積みの配列を有しており、段差部２０２は、交差部１３０の形状に合わせた略Ｔ字形状を有している。このように、段差部２０２の形状は、円形だけでなく各種の形状を有することができる。
【００５３】
なお、本図に例示した浴室用床パネル２０〜２５は、段差部２０２が交差部１３０の内部に設けられている例である。
【００５４】
図１２は、本発明の第２の実施形態に係る別の浴室用床パネルの要部構造を例示する模式図である。図１２（ａ）は、要部構造を例示する模式的斜視図、図１２（ｂ）は、図１２（ａ）のＡ−Ａ線断面図、図１２（ｃ）は、図１２（ａ）のＢ−Ｂ線断面図、図１２（ｄ）は、平面図である。  
図１２（ａ）〜（ｄ）に表したように、本実施形態に係る別の浴室用床パネル２６においては、交差部捕水手段２００として、４つの段差２０２ｉ、２０２ｊ、２０２ｋ、２０２ｌの組を有する段差部２０２が交差部１３０に設けられている。  
すなわち、４つの段差２０２ｉ〜２０２ｌは、交差部１３０の近傍に設けられており、これら４つの段差２０２ｉ〜２０２ｌの組からなる段差部２０２が、交差部１３０に設けられる例である。このように、段差部２０２は、交差部１３０の近傍に設けられた複数の段差の組を有することができる。すなわち、段差部２０２は、交差部１３０の内側だけでなく、交差部１３０の内側及び交差部１３０の近傍に設けられる段差を含むことができる。なお、この例では、段差部２０２は、上平面視の形状が略十字の形状を有している。
【００５５】
このように、段差部２０２は、交差部１３０の内側のみに小さく設けられる必要はなく、交差部１３０に段差部２０２が形成されれば良い。  
これにより、本実施形態に係る浴室用床パネル２０によって、排水性と清掃性とを両立させた浴室用床パネルを提供することができる。
【００５６】
また、この段差部２０２は、導水路１２０の底面だけではなく、壁面にも設けることができる。  
図１３は、本発明の第２の実施形態に係る別の浴室用床パネルの要部構造を例示する模式図である。図１３（ａ）、（ｂ）は、要部構造を例示する、それぞれ模式的斜視図及び拡大模式的平面図である。  
図１３に表したように、本実施形態に係る別の浴室用床パネル２７は、交差部捕水手段２００として、交差部１３０と隣接する導水路１２０の壁面、すなわち、凸部１１０の壁面に設けられた、段差部２０２を用いている。そして、浴室用床パネル２７は、上記の段差部２０２以外は、浴室用床パネル１０と同様とすることができる。  
このように、本実施形態に係る浴室用床パネル２７では、交差部捕水手段２００として、交差部１３０に段差部２０２を設けることにより、交差部１３０における単位面積当たりの表面積を局部的に大きくできる。これにより、段差部部２０２（交差部捕水手段２００）は、交差部１３０において、単位面積当たりの自由エネルギーを局部的に大きくできる。これにより、交差部１３０において水を弾き難くなり、結果として、交差部１３０で水が途切れることを防止できる。
【００５７】
このようにして、浴室用床パネル２７においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル２０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル２７によって、排水性と清掃性とを両立させた浴室用床パネルを提供することができる。
【００５８】
このように、本実施形態において、段差部２０２は、導水路１２０の底面だけではなく、壁面にも設けることができる。また、同様に、既に説明した突出部２０１も、導水路１２０の底面だけでなく、壁面にも設けることができる。
【００５９】
（第３の実施の形態）
図１４は、本発明の第３の実施形態に係る浴室用床パネルの要部構造を例示する模式図である。図１４（ａ）、（ｂ）は、要部構造を例示する、それぞれ模式的斜視図及び拡大模式的平面図である。  
図１４に表したように、本発明の第３の実施形態に係る浴室用床パネル３０は、交差部捕水手段２００として、交差部１３０を取り囲むように、交差部１３０の第１の間隙部１２１と第２の間隙部１２２とに形成された凸状の壁部２０３を用いている。なお、壁部２０３は、導水路１２０を水が流れることができるように、凸部１１０と間隙を空けて設けることができる。そして、浴室用床パネル３０は、上記の壁部２０３以外は、浴室用床パネル１０と同様とすることができる。
【００６０】
この壁部２０３により、交差部１３０にごく少量の水が溜まることができるようにすることで、交差部１３０で水が途切れ難くすることができる。  
すなわち、本実施形態に係る浴室用床パネル３０では、交差部捕水手段２００として、交差部１３０に壁部２０３を設けることにより、交差部１３０における単位面積当たりの表面積を局部的に大きくできる。これにより、壁部２０３（交差部捕水手段２００）は、交差部１３０において、単位面積当たりの自由エネルギーを局部的に大きくできる。これにより、交差部１３０において水を弾き難くなり、結果として、交差部１３０で水が途切れることを防止できる。
【００６１】
このようにして、浴室用床パネル３０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル２０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル３０によって、排水性と清掃性とを両立させた浴室用床パネルを提供することができる。
【００６２】
なお、本実施形態に係る浴室用床パネル３０において、壁部２０３を交差部１３０に設ける際、交差部１３０で水が捕水できるように設けられれば、交差部１３０の内部のみに設けても良く、交差部１３０の内部、及び、交差部１３０の領域を超えて、設けても良い。
【００６３】
（第４の実施の形態）
図１５は、本発明の第４の実施形態に係る浴室用床パネルの要部構造を例示する模式図である。図１５（ａ）、（ｂ）は、要部構造を例示する、それぞれ模式的斜視図及び拡大模式的平面図である。  
図１５に表したように、本発明の第４の実施形態に係る浴室用床パネル４０は、交差部捕水手段２００として、交差部１３０の間の幅を局所的に狭くする、凸部１１０に連続した延在凸部２０４を用いている。すなわち、交差部１３０から離れた場所における、第１の方向の第１の間隙部１２１の幅Ｗ１、及び、第２の方向の第２の間隙部１２２の幅Ｗ２に対して、交差部１３０の近傍における、凸部１１０の間の第１の方向の幅Ｗ３と第２の方向の幅Ｗ４とが、局部的に狭くなっている。すなわち、交差部１３０において凸部１１０の間隙を狭くする、凸部１１０に連続した延在凸部２０４を設けることにより、交差部１３０における導水路１２０の幅が局所的に狭くなる。そして、浴室用床パネル４０は、上記の延在凸部２０４以外は、浴室用床パネル１０と同様とすることができる。
【００６４】
この延在凸部２０４によって、交差部１３０における凸部１１０どうしの幅を局所的に狭め、交差部１３０における水のへばりつく力を大きくしている。これによって、交差部１３０で水が途切れ難くすることができる。  
すなわち、本実施形態に係る浴室用床パネル４０では、交差部捕水手段２００として、延在凸部２０４を設けることにより、交差部１３０において、凸部１１０の間の幅を局部的に狭くしている。これにより、交差部１３０における単位面積当たりの表面積を局部的に大きくできる。これにより、延在凸部２０４（交差部捕水手段２００）は、交差部１３０において、単位面積当たりの自由エネルギーを局部的に大きくできる。これにより、交差部１３０において水を弾き難くなり、結果として、交差部１３０で水が途切れることを防止できる。
【００６５】
このようにして、浴室用床パネル４０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル２０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル４０によって、排水性と清掃性とを両立させた浴室用床パネルを提供することができる。
【００６６】
（第５の実施の形態）
図１６は、本発明の第５の実施形態に係る浴室用床パネルの要部構造を例示する模式図である。図１６（ａ）、（ｂ）は、要部構造を例示する、それぞれ模式的斜視図及び拡大模式的平面図である。  
図１６に表したように、本発明の第５の実施形態に係る浴室用床パネル５０は、交差部捕水手段２００として、交差部１３０に設けられた高表面粗さ部２０５を用いている。この高表面粗さ部２０５は、交差部１３０以外の表面の表面粗さより、表面粗さが粗い。すなわち、浴室用床パネル５０に用いられる樹脂の表面に、例えば、適当なマスクを介したブラスト等の処理により表面シボを設ける際、交差部１３０の表面シボの粗さが、交差部１３０以外の部分より粗くなるように処理することによって、この高表面粗さ部２０５を設けることができる。なお、この高表面粗さ部２０５は、浴室用床パネル５０を所定形状に成形した後に設けることもでき、また、交差部１３０に対応する部分に所定の高表面粗さ部を設けた成形型を用いて成形することによっても得られる。  
そして、浴室用床パネル５０は、上記の高表面粗さ部２０５以外は、浴室用床パネル１０と同様とすることができる。
【００６７】
この高表面粗さ部２０５によって、交差部１３０の表面シボを粗くすることで、交差部１３０における水の濡れ性が向上し、交差部１３０で水が途切れ難くなる。なお、交差部１３０のみに高表面粗さ部２０５を設けるので、表面シボを粗くしたことによる耐汚染性低下の影響を、ごく一部のみに抑えることができる。  
すなわち、本実施形態に係る浴室用床パネル５０では、交差部捕水手段２００として、交差部１３０に高表面粗さ部２０５を設けることにより、交差部１３０における単位面積当たりの表面積、または、表面自由エネルギーを局部的に大きくできる。これにより、高表面粗さ部２０５（交差部捕水手段２００）は、交差部１３０において、単位面積当たりの自由エネルギーを局部的に大きくできる。これにより、交差部１３０において水を弾き難くなり、結果として、交差部１３０で水が途切れることを防止できる。
【００６８】
このようにして、浴室用床パネル５０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル２０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル５０によって、排水性と清掃性とを両立させた浴室用床パネルを提供することができる。
【００６９】
（第６の実施の形態）
図１７は、本発明の第６の実施形態に係る浴室用床パネルの要部構造を例示する模式図である。図１７（ａ）、（ｂ）は、要部構造を例示する、それぞれ模式的斜視図及び拡大模式的平面図である。  
図１７に表したように、本発明の第６の実施形態に係る浴室用床パネル６０は、交差部捕水手段２００として、交差部１３０に設けられた高濡れ性部２０６を用いている。この高濡れ性部２０６では、交差部１３０以外の部分の濡れ性より、濡れ性が高い。なお、濡れ性とは、水に対する濡れ性である。この高濡れ性部２０６は、交差部１３０の部分の樹脂の表面に、例えば、コロナ処理、プラズマ処理、フォーミング処理、サンドブラスト処理、紫外線照射処理、コロイダルシリカ処理、及び、各種のカップリング材処理等の表面処理を施すことによって得られる。また、交差部１３０に他の部分より親水性の高い材料を用いたり、交差部１３０の表面に他の部分より親水性の高い材料を塗布等の方法によって設けることで得られる。  
そして、浴室用床パネル６０は、上記の高濡れ性部２０６以外は、浴室用床パネル１０と同様とすることができる。
【００７０】
交差部１３０を高濡れ性化、すなわち、親水化することで、交差部１３０で水膜が形成され易くなり、交差部１３０で水が途切れ難くすることができる。  
すなわち、本実施形態に係る浴室用床パネル６０では、交差部捕水手段２００として、交差部１３０に高濡れ性部２０６を設けることにより、交差部１３０における表面自由エネルギーを局部的に大きくできる。これにより、高濡れ性部２０６（交差部捕水手段２００）は、交差部１３０において、単位面積当たりの自由エネルギーを局部的に大きくできる。これにより、交差部１３０において水を弾き難くなり、結果として、交差部１３０で水が途切れることを防止できる。
【００７１】
このようにして、浴室用床パネル６０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル２０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル６０によって、排水性と清掃性とを両立させた浴室用床パネルを提供することができる。
【００７２】
なお、交差部捕水手段２００として、上記の突出部２０１、段差部２０２、壁部２０３、延在凸部２０４、高表面粗さ部２０５及び高濡れ性部２０６のうちから選ばれた２つ以上を同時に設けても良い。
【００７３】
また、以上説明した浴室用床パネル１０〜２７、３０、４０、５０、６０において、凸部１１０は、それぞれ完全に独立した島状の場合の例を示したが、本発明は、これには限定されず、導水路１２０の捕水と排水の動作機構に実質的な悪影響がない範囲で、隣接する凸部同士が、一部の狭い領域で繋がっていても良い。
【００７４】
（第７の実施の形態）
本実施形態に係る浴室用床パネルは、隣接する凸部１１０が一部の狭い領域で繋がっている例である。  
図１８は、本発明の第７の実施形態に係る浴室用床パネルの要部構造を例示する模式図である。図１８（ａ）、（ｂ）は、要部構造を例示する、それぞれ模式的斜視図及び拡大模式的平面図である。  
図１８に表したように、本発明の第７の実施形態に係る浴室用床パネル７０は、図１に例示した浴室用床パネル１０において、隣接する凸部１１０同士が、凸部１１０の間に設けられた間隙凸部１１５によって、一部の狭い領域で繋がっている例である。間隙凸部１１５は、例えば、凸部１１０の高さの半分程度以下の高さを有し、これにより、凸部１１０の間に形成される導水路１２０の中の水の移動速度を制御する機能を有する。また、場合によっては、間隙凸部１１５によって意匠性を高めることもできる。この間隙凸部１１５は、交差部１３０から遠い部位に設けることもでき、また、交差部１３０に近い部位にも設けることができ、その数も任意である。さらには、全ての凸部１１０の間に設けることもできるし、任意の凸部１１０の間だけに設けることもできる。
【００７５】
そして、浴室用床パネル７０は、交差部捕水手段２００として、交差部１３０に突出部２０１を有している。これにより、交差部捕水手段２００は、交差部１３０において、単位面積当たりの自由エネルギーを局部的に大きくでき、交差部１３０において水を弾き難くなり、結果として、交差部１３０で水が途切れることを防止できる。
【００７６】
このようにして、浴室用床パネル７０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル２０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。  
これにより、本実施形態に係る浴室用床パネル７０によって、排水性と清掃性とを両立させた浴室用床パネルを提供することができる。  
同様に、交差部捕水手段２００として、段差部２０２、壁部２０３、延在凸部２０４、高表面粗さ部２０５及び高濡れ性部２０６を用いた場合も、隣接する凸部１１０が一部の狭い領域で繋がっていても良い。すなわち、凸部１１０は島状に形成されるが、完全に独立していなくても良い。
【００７７】
（第８の実施の形態）
図１９は、本発明の第８の実施形態に係る浴室用床パネルの構造を例示する模式図である。  
図１９に表したように、本発明の第８の実施形態に係る浴室用床パネル８０は、図２に例示した浴室用床パネル１０に対して、さらに、排水口３００に連結し、排水口３００への水の排水を補助するための排水流し溝３２０を備えている。そして、導水路１２０は、導水路１２０に流れ込んだ水を途切れさせずに一時捕水可能とし、浴室用床パネル３０の表面で水玉１５０を形成した残水は、導水路１２０内に一時捕水されている水１６０と接触することで導水路１２０から排水流し溝３２０に途切れることなく排水される。  
そして、浴室用床パネル１０と同様に、導水路１２０は、交差部を複数有するように少なくとも２方向以上に渡って形成されており、導水路１２０内の交差部１３０に交差部捕水手段２００が設けられている。すなわち、導水路１２０は、複数の凸部１１０の間に設けられ、第１の方向に延在する第１の間隙部１２１と、第１の方向とは異なる第２の方向に延在する第２の間隙部１２２と、第１の間隙部１２１と第２の間隙部１２２とが交差する交差部１３０に設けられた交差部捕水手段２００と、を有している。
【００７８】
図１９に示した浴室用床パネル８０は、交差部捕水手段２００として、突出部２０１を用いた例である。
【００７９】
本実施形態の場合も、交差部捕水手段２００として、図１及び図５〜９に例示した各種の突出部２０１、図１０〜１３に例示した各種の段差部２０２、図１４に例示した壁部２０３、図１５に例示した延在凸部２０４、図１６に例示した高表面粗さ部２０５、図１７に例示した高濡れ性部２０６、及び、それらのうちから選ばれた２つ以上を使用することができる。
【００８０】
このように、交差部１３０に交差部捕水手段２００を設けることで、導水路１２０の側壁面喪失によって低下した導水路１２０への水の付着力を補うことができ、交差部１３０を基点にして導水路１２０中の水が途切れる現象を防止し、導水路１２０内に水が繋がった状態で、水を溜め込むことができる。  
これにより、本発明の実施形態に係る浴室用床パネル８０によって、排水性と清掃性とを両立させた床パネルを提供することができる。
【００８１】
以上、具体例を参照しつつ、本発明の実施の形態について説明した。しかし、本発明は、これらの具体例に限定されるものではない。例えば、浴室用床パネルを構成する各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。  
その他、本発明の実施の形態として上述した浴室用床パネルを基にして、当業者が適宜設計変更して実施し得る全ての浴室用床パネルも、本発明の要旨を包含する限り、本発明の範囲に属する。  
その他、本発明の思想の範疇において、当業者であれば、各種の変更例及び修正例に想到し得るものであり、それら変更例及び修正例についても本発明の範囲に属するものと了解される。
【図面の簡単な説明】
【００８２】
【図１】本発明の第１の実施形態に係る浴室用床パネルの要部構造を例示する模式図である。
【図２】本発明の第１の実施形態に係る浴室用床パネルの構造を例示する模式図である。
【図３】本発明の第１の実施形態に係る浴室用床パネルの製造に用いられる成形型の要部の構造を例示する模式的斜視図である。
【図４】本発明の第１の実施形態に係る浴室用床パネルの排水状態を例示する模式的斜視図である。
【図５】本発明の第１の実施形態に係る浴室用床パネルの要部構造を例示する模式的部分平面図である。
【図６】本発明の第１の実施形態に係る別の浴室用床パネルの要部構造を例示する模式図である。
【図７】本発明の第１の実施形態に係る別の浴室用床パネルの要部構造を例示する模式図である。
【図８】本発明の第１の実施形態に係る別の浴室用床パネルの要部構造を例示する模式図である。
【図９】本発明の第１の実施形態に係る別の浴室用床パネルの要部構造を例示する模式図である。
【図１０】本発明の第２の実施形態に係る浴室用床パネルの要部構造を例示する模式図である。
【図１１】本発明の第２の実施形態に係る浴室用床パネルの要部構造を例示する模式的部分平面図である。
【図１２】本発明の第２の実施形態に係る別の浴室用床パネルの要部構造を例示する模式図である
【図１３】本発明の第２の実施形態に係る別の浴室用床パネルの要部構造を例示する模式図である
【図１４】本発明の第３の実施形態に係る浴室用床パネルの要部構造を例示する模式図である
【図１５】本発明の第４の実施形態に係る浴室用床パネルの要部構造を例示する模式図である。
【図１６】本発明の第５の実施形態に係る浴室用床パネルの要部構造を例示する模式図である。
【図１７】本発明の第６の実施形態に係る浴室用床パネルの要部構造を例示する模式図である。
【図１８】本発明の第７の実施形態に係る浴室用床パネルの要部構造を例示する模式図である
【図１９】本発明の第８の実施形態に係る浴室用床パネルの構造を例示する模式図である。
【符号の説明】
【００８３】
１０〜２７、３０、４０、５０、６０、７０、８０…浴室用床パネル、  １０ａ…成形型、  １１０…凸部、  １１０ａ…型凹部分、  １１１…凹凸、  １１５…間隙凸部、  １２０…導水路、  １２１…第１の間隙部、  １２１ａ、１２２ａ…型凸部分、  １２２…第２の間隙部、  １２３…第３の間隙部、  １３０…交差部、  １３０ａ…型交差部分、  １３２…底面、  １５０…水玉、  １６０…水、  ２００…交差部捕水手段、  ２０１…突出部、  ２０１ａ…型凹部、  ２０２…段差部、２０２ｉ〜２０２ｌ…段差、  ２０３…壁部、  ２０４…延在凸部、  ２０５…高表面粗さ部、  ２０６…高濡れ性部、  ３００…排水口、３１０…排水勾配、  ３２０…排水流し溝、  ４００…浴室、  ４１０…浴槽、  ４２０…シャワー、  ４３０…洗い場床
【図１】
2009179938.tif 000003
【図２】
2009179938.tif 000004
【図３】
2009179938.tif 000005
【図４】
2009179938.tif 000006
【図５】
2009179938.tif 000007
【図６】
2009179938.tif 000008
【図７】
2009179938.tif 000009
【図８】
2009179938.tif 000010
【図９】
2009179938.tif 000011
【図１０】
2009179938.tif 000012
【図１１】
2009179938.tif 000013
【図１２】
2009179938.tif 000014
【図１３】
2009179938.tif 000015
【図１４】
2009179938.tif 000016
【図１５】
2009179938.tif 000017
【図１６】
2009179938.tif 000018
【図１７】
2009179938.tif 000019
【図１８】
2009179938.tif 000020
【図１９】
2009179938.tif 000021